(57)【特許請求の範囲】
【請求項１】
相嵌合する第一コネクタと第二コネクタとの離脱構造であって，
前記第一コネクタの第一コネクタハウジングは、該第一コネクタハウジングの前後方向にのびる可撓性のあるロックアームを有し，
該ロックアーム及び前記第二コネクタの第二コネクタハウジングは、前記ロックアームが撓みロック解除がなされると、前記第一コネクタ及び前記第二コネクタの離脱方向に離脱力を生じさせる前記ロックアームの後部において左右方向に突出する一対の引き抜き補助部、及び前記第二コネクタハウジングの前後方向前部から後部側に向けて次第に高く傾斜し且つ前記ロックアームの左右両側に差し込まれ且つ前記ロックアームが撓むと前記一対の引き抜き補助部が前記前部に向けて摺動する一対の引き抜き補助テーパ面を一体に有する
ことを特徴とするコネクタの離脱構造。
【請求項２】
相嵌合する第一コネクタと第二コネクタとの離脱構造であって，
前記第一コネクタの第一コネクタハウジングは、該第一コネクタハウジングの前後方向にのびる可撓性のあるロックアームを有し，
該ロックアーム及び前記第二コネクタの第二コネクタハウジングは、前記ロックアームが撓みロック解除がなされると、前記第一コネクタ及び前記第二コネクタの離脱方向に離脱力を生じさせる第一及び第二引き抜き補助手段を一体に形成してなり、
前記ロックアームは、対をなして並設され、前記第一引き抜き補助手段は、前記対をなすロックアームの後部間に架設される引き抜き補助部であり、前記第二引き抜き補助手段は、前記第二コネクタハウジングの前後方向前部から後部側に向けて次第に高く傾斜し且つ前記対をなすロックアーム間に差し込まれ且つ前記ロックアームが撓むと前記引き抜き補助部が前記前部に向けて摺動する引き抜き補助テーパ面である  ことを特徴とするコネクタの離脱構造。
【発明の詳細な説明】
【０００１  】
【発明の属する技術分野】
本発明は、相嵌合する第一コネクタと第二コネクタとを離脱させるコネクタの離脱構造に関する。
【０００２  】
【従来の技術】
図６は、従来より一般的に知られているレバー嵌合式コネクタを示す斜視図である。レバー嵌合式コネクタＡは相嵌合する一対のコネクタハウジング１０１とコネクタハウジング１０２とから成り、一方のコネクタハウジング１０１の外周壁１０１ａには、嵌合、離脱の操作を行うレバー１０３が回動自在に設けられている。
【０００３  】
コネクタハウジング１０１は、合成樹脂材の成形加工により形成されており、図７に示される如く、外周壁１０１ａの内側には複数の端子収容室１０４が形成されている。また、コネクタハウジング１０１には、スペーサ１０５が嵌着するようになっており、端子収容室１０４内に収容された端子金具（図示せず）の抜けが防止されている。端子収容室１０４の後方には、電線挿入筒部１０６が連設されている。
【０００４  】
外周壁１０１ａの両側には、レバー１０３を回動自在に支持するための支持突起１０７が設けられている。また、外周壁１０１ａの両側中間部には、外周壁１０１ａの嵌合側縁部１０１ｂから支持突起１０７に向けて切り込まれた導入溝１０８が開口形成されている。外周壁１０１ａの後端（電線挿入口１０１ｂ側）上下には、支持突起１０７と導入溝１０８とを結ぶ線に対し対称となる位置に、くさび形の係止突起１０９、１０９′が先端１０９ａ、１０９ａ′を斜め後方に向けて対向するように付設されている。
【０００５  】
他方のコネクタハウジング１０２は、コネクタハウジング１０１と同様に合成樹脂材の成形加工により形成されており、その内部にはコネクタハウジング１０１内の端子金具と嵌合する複数の端子金具１１０が収容されている。また、周壁１０２ａの両側には、被駆動ピン１１１が突設されている。
【０００６  】
レバー１０３は、両側の支承部１０３ａ、１０３ａ間を操作部１０３ｂで連結した、ほぼ門型の形状に形成されている。そして、支承部１０３ａに設けられた孔１１２をコネクタハウジング１０１の支持突起１０７に嵌入することにより、コネクタハウジング１０１に対し支持突起１０７を軸として回動可能に装着されている。
【０００７  】
レバー１０３の支承部１０３ａの内側には、カム溝１１３が設けられており、操作部１０３ｂのほぼ中央部内側には、二本の可撓係止腕１１４、１１４が付設されている。可撓係止腕１１４は、それぞれほぼＬ字形に形成されており、自由端部１１４ａを操作部１０３ｂ方向へ向け、基部１１４ａがレバー１０３の操作部１０３ｂに結合されている。自由端部１１４ｂ相互間には、板状の係止部１１５が架設されている。
【０００８  】
次に、双方のコネクタハウジング１０１、１０２を嵌合する際のレバー１０３の操作とロック機構について説明する。尚、コネクタハウジング１０１には、二つの係止突部１０９、１０９′が設けられているが、一方の係止突部１０９にレバー１０３をロックする場合について説明する。
【０００９  】
図８に示されるように、他方のコネクタハウジング１０２を一方のコネクタハウジング１０１に接近させ、他方のコネクタハウジング１０２の被駆動ピン１１１を、一方のコネクタハウジング１０１の導入溝１０８内に導入してレバー１０３のカム溝１１３内に位置させる。そして、この状態でレバー１０３を矢印方向へ回動させると、被駆動ピン１１１がレバー１０３のカム溝１１３に沿って一方のコネクタハウジング１０１内に進入し、双方のコネクタハウジング１０１と１０２が互いに嵌合する。
【００１０  】
このとき、図９に示されるように、レバー１０３に設けられた可撓係止腕１１４の係止部１１５が、一方のコネクタハウジング１０１の係止突部１０９の斜面部１０９ｂに当接する。さらに、レバー１０３を矢印方向へ回動させて行くと、図１０に示されるように、可撓係止腕１１４が撓み、係止部１１５の係止端１１５ａが係止突部１０９の先端１０９ａに接近する。
【００１１  】
矢印方向へのレバー１０３の回動を継続すると、係止部１１５の係止端１１５ａが係止突部１０９の先端１０９ａを乗り越える。係止端１１５ａが係止突部１０９を乗り越えると、上方へ撓んでいた可撓係止腕１１４がそれ自体の弾性力により復元し、図１１に示されるように、係止部１１５の係止端１１５ａが係止突部１０９の下側に係合し、レバー１０３が一方のコネクタハウジング１０１にロックされる。
【００１２  】
その後、レバー１０３のロックを解除する際には、図１２に示されるように、可撓係止腕１１４の係止部１１５とレバー１０３の操作部１０３ｂとを手指で閉じるように摘むと、可撓係止腕１１４が上方へ撓み、係止部１１５の係止端１１５ａが係止突部１０９の先端１０９ａから外れ、レバー１０３が回動可能となる。そして、図１２の矢印方向へレバー１０３を回動させれば、嵌合操作の逆操作が行われ、レバー１０３のカム溝１１３に沿って被駆動ピン１１１が移動し、一方のコネクタハウジング１０１から他方のコネクタハウジング１０２が離脱する。
【００１３  】
【発明が解決しようとする課題】
ところで、上記従来技術にあっては、図１２の矢印方向へレバー１０３を回動させることにより、小さな力で一方のコネクタハウジング１０１と他方のコネクタハウジング１０２との離脱を行うことができるようなっている。これは近年、ワイヤハーネスのリサイクルにおいて効率よく解体するという点に対し効果的である。
【００１４  】
しかしながら、レバー１０３を設けることにより、一方のコネクタハウジング１０１毎の構成部品点数の増大につながり、コネクタ全体の構造も複雑化してしまうという問題点を有している。また、レバー１０３の回動によりその回動範囲内のスペースが占有され、その結果、大型なコネクタになってしまうという問題点も有している。
【００１５  】
本発明は、上述した事情に鑑みてなされるもので、構成部品点数を削減し、構造を簡素化し、サイズを小型化した上で、容易にコネクタの離脱を行うことが可能なコネクタの離脱構造を提供することを課題とする。
【００１６】
【課題を解決するための手段】
上記課題を解決するためなされた請求項１記載の本発明のコネクタの離脱構造は、相嵌合する第一コネクタと第二コネクタとの離脱構造であって，前記第一コネクタの第一コネクタハウジングは、該第一コネクタハウジングの前後方向にのびる可撓性のあるロックアームを有し，該ロックアーム及び前記第二コネクタの第二コネクタハウジングは、前記ロックアームが撓みロック解除がなされると、前記第一コネクタ及び前記第二コネクタの離脱方向に離脱力を生じさせる前記ロックアームの後部において左右方向に突出する一対の引き抜き補助部、及び前記第二コネクタハウジングの前後方向前部から後部側に向けて次第に高く傾斜し且つ前記ロックアームの左右両側に差し込まれ且つ前記ロックアームが撓むと前記一対の引き抜き補助部が前記前部に向けて摺動する一対の引き抜き補助テーパ面を一体に有することを特徴としている。
【００１７】
請求項２記載の本発明のコネクタの離脱構造は、相嵌合する第一コネクタと第二コネクタとの離脱構造であって， 前記第一コネクタの第一コネクタハウジングは、該第一コネクタハウジングの前後方向にのびる可撓性のあるロックアームを有し，該ロックアーム及び前記第二コネクタの第二コネクタハウジングは、前記ロックアームが撓みロック解除がなされると、前記第一コネクタ及び前記第二コネクタの離脱方向に離脱力を生じさせる第一及び第二引き抜き補助手段を一体に形成してなり、前記ロックアームは、対をなして並設され、前記第一引き抜き補助手段は、前記対をなすロックアームの後部間に架設される引き抜き補助部であり、前記第二引き抜き補助手段は、前記第二コネクタハウジングの前後方向前部から後部側に向けて次第に高く傾斜し且つ前記対をなすロックアーム間に差し込まれ且つ前記ロックアームが撓むと前記引き抜き補助部が前記前部に向けて摺動する引き抜き補助テーパ面であることを特徴としている。
【００２０】
請求項１に記載された本発明によれば、第一コネクタ及び第二コネクタの嵌合状態からロックアームを撓ませロック解除をすると、そのロックアームの一対の引き抜き補助部が第二コネクタハウジングの一対の引き抜き補助テーパ面を摺動する。引き抜き補助テーパ面は、第二コネクタハウジングの前部から後部側に向けて次第に高く傾斜することから、その引き抜き補助テーパ面を引き抜き補助部が前記後部側から前記前部に向けて摺動すると、第一コネクタ及び第二コネクタの離脱方向に離脱力が生じる。これにより、第一コネクタハウジングの前部及び第二コネクタハウジングの奥壁の間隔が徐々に広がって相嵌合する第一コネクタと第二コネクタとの離脱が開始する。そして、ある程度間隔が広がると、第一コネクタハウジング及び第二コネクタハウジング同士、特に端子金具同士の摩擦抵抗が緩和される。この状態において、作業者自身の手で第一コネクタ及び第二コネクタそれぞれを引っ張ると容易にこれらが離脱し、作業が完了する。
【００２１】
請求項２に記載された本発明によれば、第一コネクタ及び第二コネクタの嵌合状態から対をなすロックアームを撓ませロック解除をすると、その対をなすロックアーム後部の引き抜き補助部が第二コネクタハウジングの引き抜き補助テーパ面を摺動する。引き抜き補助テーパ面は、第二コネクタハウジングの前部から後部側に向けて次第に高く傾斜することから、その引き抜き補助テーパ面を引き抜き補助部が前記後部側から前記前部に向けて摺動すると、第一コネクタ及び第二コネクタの離脱方向に離脱力が生じる。これにより、第一コネクタハウジングの前部及び第二コネクタハウジングの奥壁の間隔が徐々に広がって相嵌合する第一コネクタと第二コネクタとの離脱が開始する。そして、ある程度間隔が広がると、第一コネクタハウジング及び第二コネクタハウジング同士、特に端子金具同士の摩擦抵抗が緩和される。この状態において、作業者自身の手で第一コネクタ及び第二コネクタそれぞれを引っ張ると容易にこれらが離脱し、作業が完了する。
【００２２  】
【発明の実施の形態】
以下、図面を参照して本発明の実施の形態を説明する。
図１は本発明のコネクタの離脱構造の一実施の形態を示す斜視図である。また、図２は第一コネクタ及び第二コネクタの嵌合時の状態を示す断面図、図３は離脱に係る作業を開始時のロックアームが撓んだ状態を示す断面図、図４は更にロックアームが撓み第一コネクタ及び第二コネクタの離脱方向に離脱力が生じた状態を示す断面図である。
【００２３  】
図１において、引用符号１、２は雌型の第一コネクタ、雄型の第二コネクタを示しており、相嵌合するように構成されている。第一コネクタ１は、合成樹脂製の第一コネクタハウジング３と、図示しない複数の端子金具とを備えて構成されている。複数の端子金具は、それぞれ第一コネクタハウジング３内に形成された複数の端子収容室に収容されており、ワイヤハーネスを構成する複数の電線４の各端末が接続されている。複数の端子金具及び複数の端子収容室は、既知のものと同じであるものとし、その説明及び図示をここでは省略するものとする。
【００２４  】
第一コネクタハウジング３は、箱形形状に形成されており、第一コネクタハウジング３の前面には、上記図示しない端子収容室に第二コネクタ２の後述する図示しない端子金具を導入するための孔が複数形成されている。第一コネクタハウジング３の後面には、図示しない端子金具に対する挿入口が複数形成されている。第一コネクタハウジング３の上面には、ロックアーム５と一対のガイドリブ６とが形成されている。
【００２５  】
ロックアーム５は、その基端部が第一コネクタハウジング３の前部側に連成されており、且つアーム先端が第一コネクタハウジング３の後部側にのびる片持ちアーム状に形成されている。すなわち、ロックアーム５は、第一コネクタハウジング３の前後方向にのびるように形成されている。ロックアーム５のアーム先端上面には、押圧操作部７が形成されている。また、ロックアーム５の中間上面には、突起状の第一係止部８が形成されている。
【００２６  】
押圧操作部７の左右両側には、一対の引き抜き補助部９（第一引き抜き補助手段）が一体に形成されている。一対の引き抜き補助部９は、本形態において左右方向に突出する羽根形状に形成されている。
【００２７  】
一対のガイドリブ６は、ロックアーム５の左右両側に所定の間隔をあけて形成されている。また、一対のガイドリブ６は、第一コネクタハウジング３の前後方向にのびるように形成されている。一対のガイドリブ６は、本形態において、ロックアーム５よりも高さが高く形成されている。すなわち、ロックアーム５を保護する機能を有している（第一コネクタハウジング３の単体納入時又は保管時におけるロックアーム５の破損防止に効果を奏する）。
【００２８  】
第二コネクタ２は、合成樹脂製の第二コネクタハウジング１０と、図示しない複数の端子金具とを備えて構成されている。複数の端子金具は、それぞれ第二コネクタハウジング１０内に形成された複数の端子収容室に収容されており、ワイヤハーネスを構成する複数の電線１１の各端末が接続されている。複数の端子金具及び複数の端子収容室は、既知のものと同じであるものとし、その説明及び図示をここでは省略するものとする。
【００２９  】
第二コネクタハウジング１０は、前面が開放された箱形形状に形成されている。また、第二コネクタハウジング１０は、上記前面を介して内側に第一コネクタハウジング３が嵌合するように形成されている。第二コネクタハウジング１０の上記内側には、奥壁（後面を有する壁）を介して上記図示しない複数の端子金具の電気接触部が突出しており、第一コネクタハウジング３が嵌合した際には、上記孔を介して第一コネクタ１の端子金具と電気的に接続されるようになっている。第二コネクタハウジング１０の上壁（上面を有する壁）には、第二係止部１２と一対のガイド溝１３と凹部１４と一対の引き抜き補助テーパ面１５（第二引き抜き補助手段）とが形成されている。
【００３０  】
第二係止部１２は、上記上壁の内側であって第一コネクタ１の第一係止部８が係合可能となる突起状に形成されている。一対のガイド溝１３は、第二コネクタハウジング１０の前後方向にのびており、第一コネクタ１の一対のガイドリブ６を案内することができるように形成されている。凹部１４は、第一コネクタ１及び第二コネクタ２の嵌合時において、一対の引き抜き補助テーパ面１５を臨むことができるように前記前面を切り欠いて形成されている。
【００３１  】
一対の引き抜き補助テーパ面１５は、第二コネクタハウジング１０の前後方向前部から後部側に向けて次第に高く傾斜する斜面であって、本形態においては、上記前面から凹部１４の底部分にかけて形成されている。また、一対の引き抜き補助テーパ面１５は、第一コネクタ１及び第二コネクタ２の嵌合時において、ロックアーム５の左右両側に差し込まれる位置に形成されている。
【００３２  】
次に、上記構成に基づいて、本発明のコネクタの離脱構造に係る作用を説明する。
【００３３  】
図２において、第一コネクタ１及び第二コネクタ２が嵌合すると、ロックアーム５の左右両側に一対の引き抜き補助テーパ面１５が差し込まれる。また、ロックアーム５の第一係止部８が第二コネクタハウジング１０の第二係止部１２に係合し、ロック状態が維持される。
【００３４  】
図３において、第一コネクタ１及び第二コネクタ２の嵌合状態から押圧操作部７を押圧してロックアーム５を矢線Ａ方向に撓ませると、上記ロック状態が解除される。すなわち、第一係止部８と第二係止部１２との係合が解除される。そして、そのままその押圧操作部７の押圧を継続すると、ロックアーム５の一対の引き抜き補助部９が第二コネクタハウジング１０の一対の引き抜き補助テーパ面１５に当接し、その後、一対の引き抜き補助部９が一対の引き抜き補助テーパ面１５を摺動する。
【００３５  】
図４において、一対の引き抜き補助部９が一対の引き抜き補助テーパ面１５を、第二コネクタハウジング１０の上記前面（前部）に向けて摺動すると、第一コネクタ１及び第二コネクタ２の離脱方向（矢線Ｂ方向）に離脱力が生じ、これにより、第一コネクタハウジング３の前部１６及び第二コネクタハウジング１０の奥壁１７の間隔が徐々に広がって相嵌合する第一コネクタ１と第二コネクタ２との離脱が開始する。
【００３６  】
そして、ある程度間隔が広がると、第一コネクタハウジング３及び第二コネクタハウジング１０同士、特に端子金具同士の摩擦抵抗が緩和される。この状態において、作業者自身の手で第一コネクタ１及び第二コネクタ２それぞれを引っ張ると容易にこれらが離脱し、作業が完了する。
【００３７  】
以上、図１ないし図４までを参照しながら説明してきたように、第一及び第二引き抜き補助手段としての一対の引き抜き補助部９及び一対の引き抜き補助テーパ面１５は、ロックアーム５及び第二コネクタハウジング１０に一体であることから、コネクタを離脱させるための構造によって、コネクタハウジング毎の構成部品点数が増大することはない。また、従来のようなレバーを用いる構造ではないことから、コネクタ全体の構造が複雑化したり大型化したりすることもない。従って、構成部品点数を削減し、構造を簡素化し、サイズを小型化した上で、容易にコネクタの離脱を行うことが可能なコネクタの離脱構造を提供することができる。
【００３８  】
図５は本発明によるコネクタの離脱構造の他の一実施の形態を示す斜視図である。
【００３９  】
図５において、引用符号２１、２２は雌型の第一コネクタ、雄型の第二コネクタを示しており、相嵌合するように構成されている。第一コネクタ２１は、合成樹脂製の第一コネクタハウジング２３と、図示しない複数の端子金具とを備えて構成されている。複数の端子金具は、それぞれ第一コネクタハウジング２３内に形成された複数の端子収容室に収容されており、ワイヤハーネスを構成する複数の電線２４の各端末が接続されている。複数の端子金具及び複数の端子収容室は、既知のものと同じであるものとし、その説明及び図示をここでは省略するものとする。
【００４０  】
第一コネクタハウジング２３は、箱形形状に形成されており、第一コネクタハウジング２３の前面には、上記図示しない端子収容室に第二コネクタ２２の後述する図示しない端子金具を導入するための孔が複数形成されている。第一コネクタハウジング２３の後面には、図示しない端子金具に対する挿入口が複数形成されている。第一コネクタハウジング２３の上面には、一対のロックアーム２５と一対のガイドリブ２６とが形成されている。
【００４１  】
一対のロックアーム２５は、その基端部が第一コネクタハウジング２３の前部側に連成されており、且つアーム先端が第一コネクタハウジング２３の後部側にのびる片持ちアーム状に形成されている。すなわち、一対のロックアーム２５は、第一コネクタハウジング２３の前後方向にのびるように形成されている。また、一対のロックアーム２５は、所定の間隔（少なくとも後述する引き抜き補助テーパ面３５が差し込める間隔）を有して並設されている。一対のロックアーム２５のアーム先端上面には、押圧操作部２７が形成されている。また、一対のロックアーム２５の中間上面には、突起状の第一係止部２８が形成されている。
【００４２  】
一対のロックアーム２５の押圧操作部２７の間には、引き抜き補助部２９（第一引き抜き補助手段）が一体に形成されている（押圧操作部２７の間に架設されるような状態で形成される）。本形態において、押圧操作部２７及び引き抜き補助部２９の全体形状は、左右方向にのびる羽根形状に形成されている。
【００４３  】
一対のガイドリブ２６は、一対のロックアーム２５の左右両側に所定の間隔をあけて形成されている。また、一対のガイドリブ２６は、第一コネクタハウジング２３の前後方向にのびるように形成されている。一対のガイドリブ２６は、本形態において、一対のロックアーム２５よりも高さが高く形成されている。すなわち、一対のロックアーム２５を保護する機能を有している（第一コネクタハウジング２３の単体納入時又は保管時における一対のロックアーム２５の破損防止に効果を奏する）。
【００４４  】
第二コネクタ２２は、合成樹脂製の第二コネクタハウジング３０と、図示しない複数の端子金具とを備えて構成されている。複数の端子金具は、それぞれ第二コネクタハウジング３０内に形成された複数の端子収容室に収容されており、ワイヤハーネスを構成する複数の電線３１の各端末が接続されている。複数の端子金具及び複数の端子収容室は、既知のものと同じであるものとし、その説明及び図示をここでは省略するものとする。
【００４５  】
第二コネクタハウジング３０は、前面が開放された箱形形状に形成されている。また、第二コネクタハウジング３０は、上記前面を介して内側に第一コネクタハウジング２３が嵌合するように形成されている。第二コネクタハウジング３０の上記内側には、奥壁（後面を有する壁）を介して上記図示しない複数の端子金具の電気接触部が突出しており、第一コネクタハウジング２３が嵌合した際には、上記孔を介して第一コネクタ２１の端子金具と電気的に接続されるようになっている。第二コネクタハウジング３０の上壁（上面を有する壁）には、第二係止部３２と一対のガイド溝３３と凹部３４と引き抜き補助テーパ面３５（第二引き抜き補助手段）とが形成されている。
【００４６  】
第二係止部３２は、上記上壁の内側であって第一コネクタ２１の第一係止部２８が係合可能となる突起状に形成されている。一対のガイド溝３３は、第二コネクタハウジング３０の前後方向にのびており、第一コネクタ２１の一対のガイドリブ２６を案内することができるように形成されている。凹部３４は、第一コネクタ２１及び第二コネクタ２２の嵌合時において、引き抜き補助テーパ面３５を臨むことができるように前記前面を切り欠いて形成されている。
【００４７  】
引き抜き補助テーパ面３５は、第二コネクタハウジング３０の前後方向前部から後部側に向けて次第に高く傾斜する斜面であって、本形態においては、上記前面の中央から凹部３４の底部分中央にかけて形成されている。すなわち、引き抜き補助テーパ面３５は、第一コネクタ２１及び第二コネクタ２２の嵌合時において、一対のロックアーム２５の間に差し込まれる位置に形成されている。
【００４８  】
次に、上記構成に基づいて、本発明のコネクタの離脱構造に係る作用を説明する（特に図示しないが図２ないし図４を参考図とする）。
【００４９  】
第一コネクタ２１及び第二コネクタ２２が嵌合すると、一対のロックアーム２５の間に引き抜き補助テーパ面３５が差し込まれる。また、一対のロックアーム２５の第一係止部２８が第二コネクタハウジング３０の第二係止部３２に係合し、ロック状態が維持される。
【００５０  】
第一コネクタ２１及び第二コネクタ２２の嵌合状態から押圧操作部２７及び引き抜き補助部２９を押圧して一対のロックアーム２５を撓ませると、上記ロック状態が解除される。すなわち、第一係止部２８と第二係止部３２との係合が解除される。そして、そのままその押圧操作部２７及び引き抜き補助部２９の押圧を継続すると、一対のロックアーム２５の引き抜き補助部２９が第二コネクタハウジング３０の引き抜き補助テーパ面３５に当接し、その後、引き抜き補助部２９が引き抜き補助テーパ面３５を摺動する。
【００５１  】
引き抜き補助部２９が引き抜き補助テーパ面３５を、第二コネクタハウジング３０の上記前面（前部）に向けて摺動すると、第一コネクタ２１及び第二コネクタ２２の離脱方向に離脱力が生じ、これにより、第一コネクタハウジング２３の前部及び第二コネクタハウジング３０の奥壁の間隔が徐々に広がって相嵌合する第一コネクタ２１と第二コネクタ２２との離脱が開始する。
【００５２  】
そして、ある程度間隔が広がると、第一コネクタハウジング２３及び第二コネクタハウジング３０同士、特に端子金具同士の摩擦抵抗が緩和される。この状態において、作業者自身の手で第一コネクタ２１及び第二コネクタ２２それぞれを引っ張ると容易にこれらが離脱し、作業が完了する。
【００５３  】
以上、図５を参照しながら説明してきたように、第一及び第二引き抜き補助手段としての引き抜き補助部２９及び引き抜き補助テーパ面３５は、一対のロックアーム２５及び第二コネクタハウジング３０に一体であることから、コネクタを離脱させるための構造によって、コネクタハウジング毎の構成部品点数が増大することはない。また、従来のようなレバーを用いる構造ではないことから、コネクタ全体の構造が複雑化したり大型化したりすることもない。従って、構成部品点数を削減し、構造を簡素化し、サイズを小型化した上で、容易にコネクタの離脱を行うことが可能なコネクタの離脱構造を提供することができる。
【００５４  】
その他、本発明は本発明の主旨を変えない範囲で種々変更実施可能なことは勿論である。
【００５５】
【発明の効果】
以上説明したように、請求項１に記載された本発明によれば、
第一引き抜き補助手段は、ロックアームの後部において左右方向に突出する一対の引き抜き補助部であり、第二引き抜き補助手段は、一対の引き抜き補助部が摺動する一対の引き抜き補助テーパ面であることから、従来よりも構造を簡素化し且つサイズを小型化することができる。
【００５７】
請求項２に記載された本発明によれば、ロックアームは対をなして並設され、第一引き抜き補助手段は対をなすロックアームの後部間に架設される引き抜き補助部であり、第二引き抜き補助手段は引き抜き補助部が摺動する引き抜き補助テーパ面であることから、従来よりも構造を簡素化し且つサイズを小型化することができる。
【図面の簡単な説明】
【図１】本発明によるコネクタの離脱構造の一実施の形態を示す斜視図である。
【図２】第一コネクタ及び第二コネクタの嵌合時の状態を示す断面図である。
【図３】離脱に係る作業を開始時のロックアームが撓んだ状態を示す断面図である。
【図４】更にロックアームが撓み第一コネクタ及び第二コネクタの離脱方向に離脱力が生じた状態を示す断面図である。
【図５】本発明によるコネクタの離脱構造の他の一実施の形態を示す斜視図である。
【図６】従来例のレバー嵌合式コネクタの斜視図である。
【図７】図６の一方のコネクタハウジング及びレバーを示す断面図である。
【図８】図６の双方のコネクタハウジングを嵌合する過程を示す説明図である。
【図９】図８のコネクタハウジング相互の嵌合時におけるレバーの可撓係止腕の状態を示す説明図である。
【図１０】図９のレバーを更に回動させレバーのロックを開始する状態を示す説明図である。
【図１１】図１０のレバーの回動を継続してロックが行われた状態を示す説明図である。
【図１２】図１１のレバーのロックを解除する操作を示す説明図である。
【符号の説明】
１、２１  第一コネクタ
２、２２  第二コネクタ
３、２３  第一コネクタハウジング
５、２５  ロックアーム
７、２７  押圧操作部
８、２８  第一係止部
９、２９  引き抜き補助部（第一引き抜き補助手段）
１０、３０  第二コネクタハウジング
１２、３２  第二係止部
１４、３４  凹部
１５、３５  引き抜き補助テーパ面（第二引き抜き補助手段）
【図１】
0003879911.tif 000002
【図２】
0003879911.tif 000003
【図３】
0003879911.tif 000004
【図４】
0003879911.tif 000005
【図５】
0003879911.tif 000006
【図６】
0003879911.tif 000007
【図７】
0003879911.tif 000008
【図８】
0003879911.tif 000009
【図９】
0003879911.tif 000010
【図１０】
0003879911.tif 000011
【図１１】
0003879911.tif 000012
【図１２】
0003879911.tif 000013